(57)【特許請求の範囲】
【請求項１】
構造体の表面に形成された係止溝における開口部を、この係止溝の長手方向に沿って摺動可能に設けられたカバー体によって閉塞する係止溝のカバー装置において、
前記係止溝を、開口縁部に内方を向く凸縁を両側に形成したあり溝形状をなす有底のものとし、前記カバー体を、係止溝の開口幅より大とした幅であって、係止溝の長手方向に沿った平板状の基片と、基片の両縁より係止溝の奥部に向けて延設された１対の側片とによって、断面ほぼコ字状に形成するとともに、弾性体からなるガイドシューの内側に抱持されるものとし、前記ガイドシューを、前記カバー体の両側片の外側面を覆い、かつ先端が前記係止溝の凸縁の内側に圧接する１対の抱持片と、両抱持片を連結する連結部と、この連結部により前記係止溝の内奥部に向けて延設されて、係止溝の奧底面に圧接するばね片とを備えるものとし、ばね片と抱持片の先端間で、前記カバー体を係止溝内に非接触状態に保持するとともに、その摺動抵抗でカバー体を係止溝内の任意の位置に弾圧保持可能としたことを特徴とする係止溝のカバー装置。
【請求項２】
抱持片の外側における、係止溝の内面との対向部に、係止溝の内面に摺接する凸部を設けた請求項１記載の係止溝のカバー装置。
【請求項３】
カバー体の基片における中央部に、係止溝の開口部の開口幅より、若干幅狭な前方突出部を形成し、この前方突出部と構造体の表面とが同一面となるようにした請求項１または２記載の係止溝のカバー装置。
【請求項４】
カバー体の両側片とガイドシューの抱持片との対向面のいずれか一方に、他方に設けた係合孔と係合することにより、係止溝の長手方向に沿う相互の位置ずれを防止するようにした係止爪を設けた請求項１〜３のいずれか記載の係止溝のカバー装置。
【請求項５】
ガイドシューにおける連結部を、カバー体の内部に凹入する形状とするとともに、その中央部に、カバー体の基片の内面に圧接する押圧片を設けた請求項１〜４のいずれかに記載の係止溝のカバー装置。
【請求項６】
カバー体の長手方向に沿って複数のガイドシューを、互いに離間させて装着した請求項１〜５のいずれかに記載の係止溝のカバー装置。
【発明の詳細な説明】
【技術分野】
【０００１】
本発明は、構造体の表面に形成された係止溝の開口部を開閉可能に閉鎖する係止溝のカバー装置に関する。
【背景技術】
【０００２】
構造体の表面に形成された係止溝においては、構造体の用途に応じて、係止溝の開口部を閉塞するカバー装置を取付けることによって、良好な体裁に収める必要がある場合がある。カバー装置の構造としては、係止溝をあり溝形状とし、カバー装置に設けられた係止片を係止溝の開口縁部に係止させることによって、取付けたものが多く見られる。こうした構造によれば、簡易的に係止溝の開口部を閉塞することができる（特許文献１）。
【０００３】
また、用途によっては、カバー体を係止溝に沿って摺動可能として取付けることが求められる場合があるが、その際には、カバー体に取付けられた弾性体の反発力や、カバー体と係止溝の内壁面との係止力によって生ずる摺動抵抗によって、カバー体を係止溝内の任意の位置に保持し、かつ抵抗力に抗する操作力を加えることによって、摺動させるようにしたものもある。
【０００４】
【特許文献１】実開昭５９−０１３０１８号公報
【発明の開示】
【発明が解決しようとする課題】
【０００５】
しかし、構造体との体裁を図るために、またはカバー体の強度を保つために、カバー体を金属板で形成した場合には、摺動操作時に、カバー体が係止溝の内面に当接しながら摺動するため、カバー体が係止溝の縁部に囓りこんで、カバー体および係止溝の表面が傷ついたり、塗膜が擦過されたりして、見栄えが低下することがある。
【０００６】
本発明は、従来の技術が有する上記のような問題点に鑑み、カバー体の摺動操作を繰返し行っても、カバー体の表面や係止溝の摺動接触部が傷つくのを防止するようにした係止溝のカバー装置を提供することを目的としている。
【課題を解決するための手段】
【０００７】
本発明によると、上記課題は次のようにして解決される。
（１）構造体の表面に形成された係止溝における開口部を、この係止溝の長手方向に沿って摺動可能に設けられたカバー体によって閉塞する係止溝のカバー装置において、前記係止溝を、開口縁部に内方を向く凸縁を両側に形成したあり溝形状をなす有底のものとし、前記カバー体を、係止溝の開口幅より大とした幅であって、係止溝の長手方向に沿った平板状の基片と、基片の両縁より係止溝の奥部に向けて延設された１対の側片とによって、断面ほぼコ字状に形成するとともに、弾性体からなるガイドシューの内側に抱持されるものとし、前記ガイドシューを、前記カバー体の両側片の外側面を覆い、かつ先端が前記係止溝の凸縁の内側に圧接する１対の抱持片と、両抱持片を連結する連結部と、この連結部により前記係止溝の内奥部に向けて延設されて、係止溝の奧底面に圧接するばね片とを備えるものとし、ばね片と抱持片の先端間で、前記カバー体を係止溝内に非接触状態に保持するとともに、その摺動抵抗でカバー体を係止溝内の任意の位置に弾圧保持可能とする。
【０００８】
（２）上記(１)項において、抱持片の外側における、係止溝の内面との対向部に、係止溝の内面と摺接する凸部を設ける。
【０００９】
（３）上記(１)または(２)項において、カバー体の基片における中央部に、係止溝の開口部の開口幅より、若干幅狭な前方突出部を形成し、この前方突出部と構造体の表面とが同一面となるようにする。
【００１０】
（４）上記(１)〜(３)項のいずれかにおいて、カバー体の両側片とガイドシューの抱持片との対向面のいずれか一方に、他方に設けた係合孔と係合することにより、係止溝の長手方向に沿う相互の位置ずれを防止するようにした係止爪を設ける。
【００１１】
（５）上記(１)〜(４)項のいずれかにおいて、ガイドシューにおける連結部を、カバー体の内部に凹入する形状とするとともに、その中央部に、カバー体の基片の内面に圧接する押圧片を設ける。
【００１２】
（６）上記（１）〜(５)項のいずれかにおいて、カバー体の長手方向に沿って複数のガイドシューを、互いに離間させて装着する。
【発明の効果】
【００１３】
本発明によると、次のような効果を奏することができる。
請求項１記載の発明によると、係止溝に対してカバー体が直接接触しないため、傷がつかず、ガイドシューによって係止溝内に弾性支持されているため、操作力を加えない限り、不時の摺動がなく、がたつきも防止できる。
【００１４】
請求項２記載の発明によると、ガイドシューの係止溝内面に対する摺動接触面積が減るため、操作力を加えた状態ではカバー体の摺動を円滑に行うことができる。
【００１５】
請求項３記載の発明によると、カバー体の表面が構造体表面と同一面となるので、見栄えが良好となる。
【００１６】
請求項４記載の発明によると、摺動操作時におけるカバー体とガイドシューとの相互のずれを防止できる。
【００１７】
請求項５記載の発明によると、カバー体の表面を構造体の表面に一致させる付勢力を常時作用させることができる。
【００１８】
請求項６記載の発明によると、カバー体の長さが長くても必要最小個数のガイドシューによって、カバー体と係止溝間の直接接触を防止できる。
【発明を実施するための最良の形態】
【００１９】
図１は、本発明の係止溝のカバー装置を、デスクの脚体の後部に適用した場合の実施形態を示している。
デスク１は、左右１対の脚２、２と、脚２、２上に架設された天板３と、脚２、２の後端上部を連結する横連結材４とを備えている。
【００２０】
脚２は、垂直の脚体５と、脚体５の下端の後部から前部に向けて水平に延設された脚杆６と、脚体５の上部において、後部から前部側に向けて水平に延設された天板支持腕７とを備えており、各脚杆６の下部には、前後１対の不陸調整用アジャスタ８が設けられている。天板支持腕７は、図示しない取付手段により、その上部に載置された天板３を固定保持している。
【００２１】
脚体５の後面には、図２に拡大して示すように、両側縁部を内側に折曲げて縦方向の凸縁９ａを形成し、内側が拡開するあり溝状の係止溝９が上下方向に形成されている。係止溝９の内奥部には、開口部側に向けて、平面視コ字形をなす隔壁１０が設けられている。この隔壁１０の下部中央部には、オプション部品取付用の取付孔１１が設けられ、この取付孔１１は、隔壁１０の裏側に設けられた溶接ナット１２に連通している。
【００２２】
係止溝９には、その上下方向に沿ってカバー体１３が摺動可能に嵌合されており、図１に示すように、不使用時には、係止溝９の開口部は閉じられ、図２に示すように、カバー体１３を、指等により持ち上げることによって、係止溝９の下部は開放され、隔壁１０および取付孔１１を外方に露呈させることができる。
【００２３】
カバー体１３の上下方向長さＬは、図１に示すように、脚体５の上下方向の長さをＨとし、横連結材４の上下幅をｈとすると、Ｌ≧Ｈ−ｈの関係としてあり、全閉状態では、係止溝９の上部にＨ−Ｌの上下寸法の開口が形成されるが、この開口は横連結材４により塞がれ、外部に露呈することはないので、体裁が損なわれることはない。
【００２４】
カバー体１３は、金属板をプレス成形して形成したものであり、図３に示すように、係止溝９の開口部の幅より幅広とした基片１４と、基片１４の両側端より係止溝９の奥部に向けて延設された左右１対の側片１５、１５と、両側片１５、１５の先端部を互いに内向きに折曲し形成した内向折曲片１６、１６とを備えている。
基片１４の両側部に、前方に向かって凹入する凹入段部１４ａ、１４ａを形成することにより、基片１４の中央部に、開口部の幅より僅かに小幅で、脚体５の後面と同一面となるようにした突出部１４ｂが形成されている。
【００２５】
係止溝９内において、このカバー体１３の長手方向の複数の箇所には、弾性を有する合成樹脂製の複数のガイドシュー１７が装着されている。
【００２６】
各ガイドシュー１７は、図３に示すように、カバー体１３の基片１４の前面中央部に圧接する押圧片１８と、押圧片１８の前方において、平面視前向きコ字状をなして、カバー体１３内を前方に向かって延出する連結片１９と、連結片１９の左右の前端より、カバー体１３の両側片１５、１５前端と内向折曲片１６、１６とを囲むようにして平面視Ｕ字状に折り返された後、係止溝９の開口部に向かって延出し、カバー体１３の両側片１５、１５を外側から抱持するとともに、その先端が凸縁９ａの内側に当接するようにした左右１対の抱持片２０と、連結片１９の中央より、前方に向かって左右に二股に分岐し、それぞれが円弧状をなして、隔壁１０に圧接されるようにした左右１対のばね片２１、２１とを備えている。
【００２７】
両抱持片２０の内側には、係止爪２０ａが突設され、また外側には、係止溝９の内側面に摺接する凸部２０ｂが突設されている。凸部２０ｂはカバー体１３の移動時における係止溝９の内側面とガイドシュー１７との接触面積を少なくし、移動を円滑に行うためのものである。
【００２８】
係止爪２０ａ、２０ａに対応して、図３および図４に示すように、カバー体１３の左右の側片１５、１５には、係合孔１５ａ、１５ａが、上下方向に所要の間隔をもって形成されている。
また、ガイドシュー１７の装着位置において、カバー体１３の左右の内向折曲片１６、１６の内縁には、ガイドシュー１７の上下幅に応じた切欠き部１６ａ、１６ａが、所要の間隔をもって設けられおり、これらによって、カバー体１３の前方から、ガイドシュー１７を、両抱持片２０、２０を弾性撓曲させつつ嵌合することによって、ガイドシュー１７は、カバー体１３の予め定めた位置に、抜止め状態で装着される。
なお、図４では、カバー体１３の上下方向２箇所に係止用係合孔１５ａ、１５ａおよび切欠き部１６ａ、１６ａを設けてあるが、カバー体１３の長さに応じて、全長にわたって設けたり、３箇所以上の複数箇所に設けたりしてもよい。
【００２９】
このようにして、予めカバー体１３の前方より、ガイドシュー１７を装着しておけば、図５に示すように、カバー体１３を係止溝９に差し込む際においても、カバー体１３の係止溝９内に対する直接接触を防止しつつ、カバー体１３を係止溝９内に挿入することができ、以後は非接触状態に保たれる。
【００３０】
カバー体１３の閉止状態では、基片１４の突出部１４ａは、図３に示すように、脚体５の後面と同一面に保たれることにより、外観上の違和感がなく、見栄えが確保される。また、図２に示すように、手指操作により、カバー体１３を上昇させる時には、適度の摺動抵抗を生じつつ上昇して、係止溝９の下部を開口させることができる。この状態から手を離しても、ばね片２１、２１が隔壁１０に弾性変形して圧接していることにより、カバー体１３は、停止した任意の位置で保持される。
【００３１】
なお、本発明は、上記実施形態のみに限定されるものではなく、幾多の変形した態様での実施が可能である。
例えば、係止溝９をデスク１の脚体５の後面に上下方向に設けたが、他の例えば間仕切りや、キャビネットなどの什器の端面や壁面などに設けたり、家屋の表面などに設け、この係止溝の内部に、ガイドシュー１７に抱持されたカバー体を摺動可能に挿通しておき、必要に応じてこれを移動させて係止溝内部を開放できる構成としてもよい。
【図面の簡単な説明】
【００３２】
【図１】本発明の係止溝のカバー装置を、デスクの脚体に適用した場合の実施形態を斜め後方より見た斜視図である。
【図２】図１の円Ａ内を拡大して示す斜視図である。
【図３】図１のIII−IIIに沿う部分拡大横断平面図である。
【図４】カバー体とガイドシューとの接合関係を斜め前方より見た斜視図である。
【図５】同じくガイドシューをカバー体に取付けた状態を斜め前方より見た斜視図である。
【符号の説明】
【００３３】
１  デスク
２  脚
３  天板
４  横連結材
５  脚体
６  脚杆
７  天板支持腕
８  不陸調整用アジャスタ
９  係止溝
９ａ  凸縁
１０  隔壁（溝底）
１１  取付孔
１２  溶接ナット
１３  カバー体
１４  基片
１４ａ  凹入段部
１４ｂ  突出部
１５  側片
１５ａ  係止用係合孔
１６  内向折曲片
１６ａ  切欠き部
１７  ガイドシュー
１８  押圧片
１９  連結片
２０  抱持片
２０ａ  係止爪
２０ｂ  凸部
２１  ばね片
【図１】
0005095351.tif 000002
【図２】
0005095351.tif 000003
【図３】
0005095351.tif 000004
【図４】
0005095351.tif 000005
【図５】
0005095351.tif 000006